(57)【要約】【課題】本発明は、記録層の光ビーム入射側に配置してある再生層からデータを正確に読み出すための光ディスク、光ディスク装置及びコンピュータプログラムを提供する。【解決手段】光ディスク１の再生層Ｌ０は、第１記録層Ｌ１及び第２記録層Ｌ２の外径Ｒ３よりも短い外径Ｒ２を有する記録領域Ｌ０ａと、記録領域Ｌ０ａの外周に沿って配置してある無記録領域Ｌ０ｂとからなる。無記録領域Ｌ０ｂに光ビームが集光され、反射光が検出されて得たフォーカス誤差信号の信号強度が不要光に起因する信号の信号強度として記憶される。記憶された信号強度に基づいてフォーカス誤差信号が補正され、補正されたフォーカス誤差信号により再生層Ｌ０に光ビームのフォーカスが合うようにフォーカス制御され、再生層Ｌ０に記録してあるデータが読み出される。【選択図】図１
2010055661.tif 000002
【特許請求の範囲】
【請求項１】
光ビームが照射されてデータが記録又は再生される記録層と、該記録層の光ビーム照射側に配置してあり、外径が前記記録層の外径以下であり、光ビームが照射されてデータが再生される再生層とを備えた光ディスクにおいて、
前記再生層は、
外周に沿ってデータが記録されていない無記録領域を備える
ことを特徴とする光ディスク。
【請求項２】
光ビームが照射されてデータが記録又は再生される記録層と、該記録層の光ビーム照射側に配置してあり、内径が前記記録層の内径以上であり、光ビームが照射されてデータが再生される再生層とを備えた光ディスクにおいて、
前記再生層は、
内周に沿ってデータが記録されていない無記録領域を備える
ことを特徴とする光ディスク。
【請求項３】
光ディスクに光ビームを集光し、前記光ビームによる反射光を検出する光ピックアップを備え、前記光ピックアップが出力する信号に基づいて請求項１又は請求項２に記載の光ディスクの再生層に記録してあるデータを再生する光ディスク装置であって、
前記光ピックアップが光ビームを前記無記録領域に集光した場合、前記光ピックアップが出力する信号の信号強度を取得する信号強度取得手段と、
該信号強度取得手段が取得した信号強度を記憶する記憶手段と、
前記データを読み出す場合、前記記憶部が記憶した信号強度に基づいて前記光ピックアップが出力する信号を補正する補正手段と
を備えることを特徴とする光ディスク装置。
【請求項４】
前記光ピックアップは、
予め設定された頻度で光ビームを前記無記録領域に集光するように構成してあり、
前記記憶手段は、
信号強度を記憶している状態で前記信号強度取得手段が信号強度を取得した場合、前記信号強度を用いて記憶してある信号強度を書き換えるよう構成してある
ことを特徴とする請求項３に記載の光ディスク装置。
【請求項５】
前記光ピックアップが出力する信号を平均化する平均化手段を備え、
前記信号強度取得手段は、
前記平均化手段が平均化した信号の信号強度を取得するよう構成してある
ことを特徴とする請求項３又は請求項４に記載の光ディスク装置。
【請求項６】
前記光ピックアップは、
光ビームのフォーカス制御のためのフォーカス誤差信号を生成して出力するよう構成してあり、
前記信号強度取得手段は、
前記光ピックアップが出力する前記フォーカス誤差信号の信号強度を記憶するよう構成してあり、
前記補正手段は、
前記記憶部が記憶した信号強度に基づいて前記光ピックアップが出力するフォーカス誤差信号を補正するよう構成してある
ことを特徴とする請求項３から請求項５までのいずれか一項に記載の光ディスク装置。
【請求項７】
請求項１又は請求項２に記載の光ディスクの再生層に光ビームを集光して信号を得る光ディスク装置が備えるコンピュータに、前記再生層に記録してあるデータを読み出させるためのコンピュータプログラムであって、
前記コンピュータに、
前記無記録領域で得られた信号の信号強度に基づいて、前記再生層で得られる信号を補正させる補正ステップと、
前記信号が補正された場合、前記データの読出しを許諾する許諾ステップと
を実行させることを特徴とするコンピュータプログラム。
【発明の詳細な説明】
【技術分野】
【０００１】
本発明は、記録層の光ビーム入射側に配置してある再生層からデータを正確に読み出すための光ディスク、光ディスク装置及びコンピュータプログラムに関する。
【背景技術】
【０００２】
記録層を複数有する多層の光ディスクが使われている。この多層の光ディスクにおいて、光ビーム入射側に配置してある第１記録層からデータを読み出すべく光ビームを集光した場合、当該第１記録層を透過した光ビームの一部が光ビーム入射側反対方向に位置する第２記録層に入射して反射される。第２記録層による反射光は、第１記録層からデータを読み出す際の不要光として第１記録層による反射光に混入し、光ピックアップにより検出される。データを読み出す記録層と異なる記録層による不要光に起因する信号は、フォーカス制御等の光ビームを制御するための制御信号に重畳されるノイズ信号となる。よって、データを正確に読み出すために不要光に起因する信号を除外する必要がある。
【０００３】
そこで例えば、特許文献１に記載の光ディスク装置は、予め層間方向にフォーカス位置を移動させ、目的の記録層による反射光及び不要光に起因するフォーカス誤差信号夫々を区別して検出するようにしてある。光ディスク装置は、不要光に起因するフォーカス誤差信号が検出されたフォーカス位置を除いてフォーカス制御を行うことで、不要光に起因するフォーカス誤差信号を除外している。近年、従来の記録再生用の光ディスクの光ビーム入射側に反射率の低い再生層を更に設けて、再生層にアプリケーションソフトウェア又はオペレーションシステム等を予め記録してある光ディスクが考えられるようになってきた。
【０００４】
図１０は、従来技術である光ディスクの構造例を示す模式的拡大断面図である。図１０中白抜矢印は、光ディスクにデータを記録又は再生するための光ビームが照射される方向を示す。再生層を有する光ディスクは、再生層が数％程度の低い反射率を有することにより、再生層を透過する光ビームの減衰を抑えて記録層への記録又は再生が再生層を有しない光ディスクと略同一の条件で可能にしてある。図１０に示す光ディスクの例では、第１記録層Ｌ１０１及び第２記録層Ｌ１０２を有する２層の光ディスクの光ビーム入射側に予めデータが記録してある再生層Ｌ１００が更に設けられている。再生層Ｌ１００は、第１記録層Ｌ１０１及び第２記録層Ｌ１０２夫々に集光される光ビームが各記録層にデータの記録及び再生を行うために十分な光強度を有するよう低い反射率を有している。
【０００５】
図１１は、従来技術である光ディスクに光ビームを集光した場合、フォーカス誤差信号に混入する不要光に起因する信号を説明するための説明図である。図中（ａ）及び（ｂ）夫々は、不要光に起因する信号が混入していないフォーカス誤差信号及び混入したフォーカス誤差信号を示しており、時間軸上に夫々の信号強度がグラフ表示されている。図１１（ａ）に示す如く第１記録層Ｌ１０１及び第２記録層Ｌ１０２からの反射光、すなわち不要光に起因する信号が混入していない場合、フォーカス誤差信号は、時間軸に沿って正及び負の値を揺らぐ信号となる。
【０００６】
光ディスク装置は、フォーカス誤差信号が０となるようフォーカス制御することにより、再生層Ｌ１００にフォーカスが合った光ビームが集光され、クリアな光スポットが形成される。光ビームの一部が再生層Ｌ１００を透過して第１記録層Ｌ１０１及び第２記録層Ｌ１０２に照射されて反射した光が不要光として混入する場合、図１１（ｂ）に示す如くフォーカス誤差信号には、不要光に起因する信号がオフセット成分として重畳される。この場合、不要光に起因する信号が混入したフォーカス誤差信号が０となるようフォーカス制御されるため、再生層Ｌ１００にフォーカスが合っていない光ビームが集光されて、ぼやけた光スポットが形成され、データの読出しが不正確なものとなる。従って、再生層Ｌ１００に記録してあるデータを再生する場合、多層の光ディスクと同様に不要光に起因する信号を除外する必要がある。
【特許文献１】特開２００７−３１７３３０号公報
【発明の開示】
【発明が解決しようとする課題】
【０００７】
しかしながら、特許文献１に記載の光ディスク装置を用いて再生層を有する光ディスクからデータを読み出す場合、再生層が極めて低い反射率を有するため、再生層に集光された光ビームの多くが再生層を透過して記録層により反射され、高い光強度を有する不要光が検出される。よって、データの読出しに必要な再生層による反射光の光強度に対して不要光の光強度が大きくなるため、夫々に起因する信号を区別して検出できず、不要光に起因する信号を除外して再生層に記録してあるデータを正確に読み出すことが困難であるという問題があった。
【０００８】
本発明は斯かる事情に鑑みてなされたものであり、記録層からの不要光に起因する信号を除去して再生層に記録してあるデータを正確に読み出すことが可能となる光ディスク、光ディスク装置及びコンピュータプログラムを提供することを目的とする。
【課題を解決するための手段】
【０００９】
本発明に係る光ディスクは、光ビームが照射されてデータが記録又は再生される記録層と、該記録層の光ビーム照射側に配置してあり、外径が前記記録層の外径以下であり、光ビームが照射されてデータが再生される再生層とを備えた光ディスクにおいて、前記再生層は、外周に沿ってデータが記録されていない無記録領域を備えることを特徴とする。
【００１０】
本発明にあっては、光ビームを照射して記録層にデータの記録又は再生を行う場合、記録層の光ビーム照射側に配置してある再生層を光ビームが透過して記録層に集光される。再生層に記録してあるデータを再生する場合、再生層に光ビームが集光される。再生層を透過した光ビームの一部が記録層で反射されてなる不要光を検出するために、記録領域の外周に沿って配置してある無記録領域に光ビームが集光される。
【００１１】
本発明に係る光ディスクは、光ビームが照射されてデータが記録又は再生される記録層と、該記録層の光ビーム照射側に配置してあり、内径が前記記録層の内径以上であり、光ビームが照射されてデータが再生される再生層とを備えた光ディスクにおいて、前記再生層は、内周に沿ってデータが記録されていない無記録領域を備えることを特徴とする。
【００１２】
本発明にあっては、光ビームを照射して記録層にデータの記録又は再生を行う場合、記録層の光ビーム照射側に配置してある再生層を光ビームが透過して記録層に集光される。再生層に記録してあるデータを再生する場合、再生層に光ビームが集光される。再生層を透過した光ビームの一部が記録層で反射されてなる不要光を検出するために、記録領域の内周に沿って配置してある無記録領域に光ビームが集光される。
【００１３】
本発明に係る光ディスク装置は、光ディスクに光ビームを集光し、前記光ビームによる反射光を検出する光ピックアップを備え、前記光ピックアップが出力する信号に基づいて前述の光ディスクの再生層に記録してあるデータを再生する光ディスク装置であって、前記光ピックアップが光ビームを前記無記録領域に集光した場合、前記光ピックアップが出力する信号の信号強度を取得する信号強度取得手段と、該信号強度取得手段が取得した信号強度を記憶する記憶手段と、前記データを読み出す場合、前記記憶部が記憶した信号強度に基づいて前記光ピックアップが出力する信号を補正する補正手段とを備えることを特徴とする。
【００１４】
本発明にあっては、光ピックアップが光ビームを前述の光ディスクの無記録領域に集光した場合、再生層からデータの読出しに対して不要となる不要光が検出され、光ピックアップが出力しており、不要光に起因する信号の信号強度が記憶される。前述の光ディスクの再生層に記録してあるデータを光ピックアップにより読み出す場合、記憶されている信号強度に基づいて光ピックアップが出力する信号から不要光に起因する信号が差し引かれて補正される。
【００１５】
本発明に係る光ディスク装置は、前記光ピックアップは、予め設定された頻度で光ビームを前記無記録領域に集光するように構成してあり、前記記憶手段は、信号強度を記憶している状態で前記信号強度取得手段が信号強度を取得した場合、前記信号強度を用いて記憶してある信号強度を書き換えるよう構成してあることを特徴とする。
【００１６】
本発明にあっては、予め設定された頻度で無記録領域に光ビームが集光され、不要光に起因する信号の信号強度が取得される。取得された信号強度を用いて記憶してある信号強度が書き換えられることにより、光ピックアップが出力する信号の補正に用いられる信号強度が予め設定された頻度で更新される。
【００１７】
本発明に係る光ディスク装置は、前記光ピックアップが出力する信号を平均化する平均化手段を備え、前記信号強度取得手段は、前記平均化手段が平均化した信号の信号強度を取得するよう構成してあることを特徴とする。
【００１８】
本発明にあっては、無記録領域に光ビームが集光された場合、光ピックアップが出力する信号が平均化される。平均化された信号の信号強度が記憶されて記録層による反射光に起因しない信号、例えば、光ディスク表面の傷等による反射光に起因する信号が補正に用いられる信号から除外される。
【００１９】
本発明に係る光ディスク装置は、前記光ピックアップは、光ビームのフォーカス制御のためのフォーカス誤差信号を生成して出力するよう構成してあり、前記信号強度取得手段は、前記光ピックアップが出力する前記フォーカス誤差信号の信号強度を記憶するよう構成してあり、前記補正手段は、前記記憶部が記憶した信号強度に基づいて前記光ピックアップが出力するフォーカス誤差信号を補正するよう構成してあることを特徴とする。
【００２０】
本発明にあっては、光ビームが前述の光ディスクの無記録領域に集光された場合、光ピックアップが出力するフォーカス誤差信号の信号強度が記憶される。前述の光ディスクの再生層に記録してあるデータが光ピックアップにより読み出される場合、光ピックアップが出力するフォーカス誤差信号を、記憶してある信号強度に基づいて補正し、補正したフォーカス誤差信号に基づいてフォーカス制御が行われる。
【００２１】
本発明に係るコンピュータプログラムは、前述の光ディスクの再生層に光ビームを集光して信号を得る光ディスク装置が備えるコンピュータに、前記再生層に記録してあるデータを読み出させるためのコンピュータプログラムであって、前記コンピュータに、前記無記録領域で得られた信号の信号強度に基づいて、前記再生層で得られる信号を補正させる補正ステップと、前記信号が補正された場合、前記データの読出しを許諾する許諾ステップとを実行させることを特徴とする。
【００２２】
本発明にあっては、無記録領域で得られた不要光に起因する信号強度に基づいて再生層で得られる信号が補正され、信号が補正された場合、再生層に記録してあるデータが読み出される。
【発明の効果】
【００２３】
本発明にあっては、記録層からの不要光に起因する信号を除去して再生層に記録してあるデータを正確に読み出すことが可能となる。
【発明を実施するための最良の形態】
【００２４】
実施の形態１
以下、本発明をその実施の形態を示す図面を参照して具体的に説明する。図１は、実施の形態１に係る光ディスクの例を示す模式的平面図及び模式的断面図である。図中１は、第１記録層Ｌ１及び第２記録層Ｌ２を有するＢＤ−ＲＥ（ Blu-ray Disk REwritable（登録商標） ）規格等の光ディスクに対して、第１記録層Ｌ１の光ビーム入射側に再生層Ｌ０が更に設けられた光ディスクを示す。光ディスク１には、回転するターンテーブルに装着するための孔部が設けられており、外径Ｒ３及び内径Ｒ１を有する第１記録層Ｌ１、第２記録層Ｌ２及び再生層Ｌ０が回転中心を囲むように配置してある。
【００２５】
再生層Ｌ０は、外径Ｒ３よりも短い外径Ｒ２を有しており、データが予め記録されている記録領域Ｌ０ａと、外周に沿ってデータが記録されていない無記録領域Ｌ０ｂとからなる。記録領域Ｌ０ａ及び無記録領域Ｌ０ｂには、記録位置等の情報が記録されたプリピットが形成されており、記録領域Ｌ０ａには、データが記録してある記録ピットが形成されている。光ディスク１は、記録ピットに光ビームが集光された場合、記録ピットによる反射光が検出されてデータが読み出されるようにしてある。
【００２６】
再生層Ｌ０は、第１記録層Ｌ１及び第２記録層Ｌ２が有する反射率に対して低い反射率を有することで、再生層Ｌ０を透過して各記録層に集光される光ビームの光強度の減衰を抑え、各記録層にデータの記録及び再生を可能にしてある。例えば、ＢＤ−ＲＥ規格の第１記録層Ｌ１のみを有する１層ディスク並びに第１記録層Ｌ１及び第２記録層Ｌ２を有する２層ディスクに再生層Ｌ０を設ける場合、第１記録層Ｌ１及び第２記録層Ｌ２夫々が有する１１〜２４％及び５〜１２％の反射率に対して、再生層Ｌ０の反射率を１〜３％にすると良い。再生層Ｌ０の外径Ｒ３及び記録領域Ｌ０ａの外径Ｒ２の差を２等分した長さ、すなわち無記録領域Ｌ０ｂの半径方向の幅は、光ディスク１の回転中心の偏心量等に基づいて経験的に設定するとよく、例えば０．５ｍｍ以上にするとよい。
【００２７】
図２は、本実施の形態１に係る光ディスク装置の内部構成を示すブロック図である。図中２は、光ディスク１にレーザ光等の光ビームを集光し、反射光を検出する光ピックアップを示す。光ピックアップ２は、内蔵するアクチュエータにより、光ディスク１に対してフォーカス方向及びトラッキング方向に摺動される対物レンズ２１と、対物レンズ２１を介して光ディスク１に集光した光ビームの反射光を検出してフォーカス誤差信号及びトラッキング誤差信号夫々を生成するフォーカス誤差信号生成回路２２及びトラッキング誤差信号生成回路２３とを備えている。
【００２８】
また、光ディスク装置は、光ピックアップ２が出力するフォーカス誤差信号を平均化するローパスフィルタからなる平均化回路３と、平均化回路３により平均化されたフォーカス誤差信号の信号強度を取得する信号強度取得回路４と、信号強度取得回路４が取得した信号強度を記憶する記憶部５と、記憶部５に記憶されている信号強度に基づいて光ピックアップ２が出力するフォーカス誤差信号を補正するためのデジタル演算回路等からなる補正回路６とを備える。補正回路６は、記憶部５に記憶してある信号強度を有するオフセット成分をフォーカス誤差信号から差し引くことにより、フォーカス誤差信号に重畳されている不要光に起因する信号を除外して補正するようにしてある。
【００２９】
また、光ディスク装置は、補正回路６が補正したフォーカス誤差信号に基づいて光ピックアップ２が有する対物レンズ２１のフォーカス制御を行うフォーカス制御回路７と、トラッキング誤差信号生成回路２３が出力するトラッキング誤差信号に基づいて対物レンズ２１のトラッキング制御を行うトラッキング制御回路１０とを備える。また、光ディスク装置は、光ピックアップ２を光ディスク１の半径方向に移動させる移動機構を駆動する駆動部９と、駆動部９による光ピックアップ２の移動を制御する移動回路８とを備えている。光ピックアップ２を移動することにより、再生層Ｌ０、第１記録層Ｌ１及び第２記録層Ｌ２夫々において光ビームが集光される位置を変更可能にしてある。
【００３０】
さらに、光ディスク装置は、バス１１ａを介して内部のハードウェア各部を制御するＣＰＵ（ Central Processing Unit ）１１と、ＣＰＵ１１がハードウェア各部を制御するためのコンピュータプログラムが記憶してあるＲＯＭ（ Read-Only Memory ）１２と、ＣＰＵ１１がコンピュータプログラムを実行している場合に生じる変数等を記憶するＲＡＭ（ Random-Access Memory ）１３とを備えている。また、ＣＰＵ１１は、ＲＯＭ１２からコンピュータプログラムをＲＡＭ１３に読み出して実行するようにしてある。
【００３１】
ＣＰＵ１１は、光ピックアップ２が再生層Ｌ０、第１記録層Ｌ１又は第２記録層Ｌ２による反射光を検出して得たデータの再生信号を受け取ることで、各層からデータの読出しを行うようにしてある。また、ＣＰＵ１１は、光ピックアップ２に記録信号を与え、光ピックアップ２が記録信号に従って光ビームを第１記録層Ｌ１又は第２記録層Ｌ２に集光することで各記録層へデータの記録を行うようにしてある。さらに、ＣＰＵ１１は、光ピックアップ２が検出した光ディスク１による反射光の有無に基づいて、光ディスク装置への光ディスク１の装着又は光ディスク装置からの排出を検出するようにしてある。
【００３２】
図３は、本実施の形態１に係る不要光に起因する信号を検出する方法を説明するための説明図である。図３中（ａ）及び（ｂ）夫々は、光ピックアップ２が再生層Ｌ０の記録領域Ｌ０ａ及び無記録領域Ｌ０ｂに光ビームを集光した場合を示す。光ディスク装置は、再生層Ｌ０の記録領域Ｌ０ａに記録してあるデータを再生する際、光ピックアップ２が出力するフォーカス誤差信号を補正するために必要な不要光に起因する信号の検出を行う。はじめに、光ディスク装置は、トラッキング制御回路１０によるトラッキング制御及び補正回路６によるフォーカス誤差信号の補正をオフし、フォーカス制御回路７によるフォーカス制御をオンする。
【００３３】
図３（ａ）に示す如く光ピックアップ２により、光ビームのフォーカスが、再生層Ｌ０に合わされる。この状態では、再生層Ｌ０に集光された光ビームの一部が再生層Ｌ０を透過し、第１記録層Ｌ１及び第２記録層Ｌ２により反射され、再び、再生層Ｌ０を透過して光ピックアップ２に入射する。これにより、光ピックアップ２は、再生層Ｌ０の表面に形成された記録ピットによる反射光と、第１記録層Ｌ１及び第２記録層Ｌ２による不要光とを検出する。光ピックアップ２が出力するフォーカス誤差信号には、不要光に起因する信号が混入しており、補正されていないフォーカス誤差信号に基づいてフォーカス制御されているため、再生層Ｌ０に集光される光ビームのフォーカスが完全に合っておらず、ぼやけた光ビームが形成される。
【００３４】
次に図３（ｂ）に示す如く光ビームが再生層Ｌ０の無記録領域Ｌ０ｂに移動され、無記録領域Ｌ０ｂに光ビームが集光される。同様に、再生層Ｌ０に集光された光ビームの一部が再生層Ｌ０を透過し、第１記録層Ｌ１及び第２記録層Ｌ２により反射され、再び、再生層Ｌ０を透過して光ピックアップ２に入射する。光ピックアップ２は、記録ピットが形成されていない無記録領域Ｌ０ｂの表面における反射光と、第１記録層Ｌ１及び第２記録層Ｌ２による不要光とを検出する。光ピックアップ２は、無記録領域Ｌ０ｂの表面における反射光及び不要光に起因するフォーカス誤差信号を出力する。平均化回路３により平均化されたフォーカス誤差信号の信号強度が信号強度取得回路４により取得され、補正用の信号強度として記憶部５に記憶される。
【００３５】
光ビームが記録領域Ｌ０ａに移動され、補正回路６がオンされる。記憶部５に記憶された信号強度に相当するオフセット成分がフォーカス誤差信号から差し引かれて補正される。この補正により、フォーカス誤差信号から、不要光に起因する信号及び記録ピットが形成されていない表面による反射光に起因する信号が除外される。光ピックアップ２から再生層Ｌ０に集光される光ビームが、補正されたフォーカス誤差信号に基づいてフォーカス制御される。この状態では、補正されたフォーカス誤差信号に基づいてフォーカス制御されているため、再生層Ｌ０に集光される光ビームのフォーカスが合っており、クリアな光スポットが形成される。トラッキング制御回路１０がオンされてトラッキング制御が開始される。クリアな光スポットが形成されているため、再生層Ｌ０の記録領域Ｌ０ａからデータの正確な読出しが可能となる。
【００３６】
図４は、実施の形態１に係る再生層のデータ読出処理の手順を示すフローチャートである。光ディスク装置のＣＰＵ１１は、トラッキング制御及び補正をオフし（ステップＳ１）、フォーカス制御をオンする（ステップＳ２）。ＣＰＵ１１は、再生層Ｌ０にフォーカスを合わせ（ステップＳ３）、光ピックアップ２を無記録領域Ｌ０ｂに移動させる（ステップＳ４）。ＣＰＵ１１は、フォーカス誤差信号の信号強度を記憶部５に記憶させ（ステップＳ５）、補正をオンする（ステップＳ６）。ＣＰＵ１１は、光ピックアップ２を記録領域Ｌ０ａに移動させ（ステップＳ７）、トラッキング制御をオンする（ステップＳ８）。ＣＰＵ１１は、記録領域Ｌ０ａに記録されているデータを読み出し（ステップＳ９）、補正をオフして（ステップＳ１０）、再生層のデータ読出処理を終了する。
【００３７】
図５は、実施の形態１に係る光ディスクの他の例を示す模式的平面図及び模式的断面図である。再生層Ｌ０は、内径Ｒ１よりも長い内径Ｒ４を有しており、データが予め記録されている記録領域Ｌ０ａと、内周に沿ってデータが記録されていない無記録領域Ｌ０ｂとからなる。記録領域Ｌ０ａの内径Ｒ４及び再生層Ｌ０の内径Ｒ１の差を２等分した長さ、すなわち無記録領域Ｌ０ｂの半径方向の幅は、無記録領域Ｌ０ｂと同様に光ディスク１の回転中心の偏心量等に基づいて経験的に設定するとよく、例えば０．５ｍｍ以上にするとよい。
【００３８】
再生層Ｌ０が第１記録層Ｌ１及び第２記録層Ｌ２の外径Ｒ３と略同一の外径を有しており、再生層Ｌ０の外周に沿って無記録領域Ｌｂを備える場合を示したが、これに限るものではなく、再生層Ｌ０が第１記録層Ｌ１及び第２記録層Ｌ２の外径Ｒ３よりも短い外径を有するようにしてもよい。また、再生層Ｌ０が第１記録層Ｌ１及び第２記録層Ｌ２の内径Ｒ１と略同一の内径を有しており、再生層Ｌ０の内周に沿って無記録領域Ｌｂを備える場合を示したが、これに限るものではなく、再生層Ｌ０が第１記録層Ｌ１及び第２記録層Ｌ２の内径Ｒ１よりも長い内径を有するようにしてもよい。すなわち、光ビームの一部が透過して光ビーム照射側反対方向の第１記録層Ｌ１及び第２記録層Ｌ２に入射するよう構成してあればよい。
【００３９】
ローパスフィルタからなる平均化回路３及び信号強度取得回路４により、平均化されたフォーカス誤差信号の信号強度を取得する場合を示したが、これに限るものではなく、平均化回路３及び信号強度取得回路４を、例えば、光ディスク１が１回転する期間内に光ピックアップ２が出力するフォーカス誤差信号の信号強度を所定時間間隔でデジタルサンプリングし、複数のサンプリング値の平均値を算出するデジタル信号処理回路で構成しても良い。
【００４０】
実施の形態２
図６は、実施の形態２に係る光ディスク装置の内部構成を示すブロック図である。実施の形態１が再生層に記録してあるデータを読み出す際に信号強度を記憶するのに対し、予め設定された頻度で信号強度の記憶及び更新を行うようにしてある。光ディスク装置は、計時開始を受け付けて、予め設定されているタイマ時間からカウントダウンを開始し、カウント終了と共にバス１１ａを介してＣＰＵ１１にタイマ信号を出力するタイマ１４を備えている。光ディスク装置は、光ディスク１が装着された場合、無記録領域Ｌ０ｂに光ビームを集光させてフォーカス誤差信号の信号強度を取得して記憶し、タイマ１４にタイマ時間の計時を開始させる。
【００４１】
ＣＰＵ１１は、タイマ信号を検出した場合、無記録領域Ｌ０ｂに光ビームを集光させてフォーカス誤差信号の信号強度を取得することにより、所定時間間隔で信号強度を取得するようにしてある。ＣＰＵ１１は、取得した信号強度を用いて、記憶している信号強度を書き換えることで、所定時間間隔で信号強度を更新する。これにより、光ディスク１が光ディスク装置に装着されている期間に、無記録領域Ｌ０ｂの光ビーム照射側反対方向に位置しており、第１記録層Ｌ１及び第２記録層Ｌ２の一部領域にデータが記録されて反射率が変化し、不要光に起因する信号の信号強度が変化した場合であっても、更新された信号強度に基づいてフォーカス誤差信号の補正が可能となる。タイマ１４に予め設定してあるタイマ時間、すなわち記憶された信号強度の更新頻度は、光ディスク１にデータが記録される頻度等に基づいて予め実験的又は経験的に求めるとよく、例えば５分とすればよい。
【００４２】
図７は、実施の形態２に係る信号強度更新処理の手順を示すフローチャートである。光ディスクのＣＰＵ１１は、光ディスク１が装着された場合、信号強度更新処理を実行する。ＣＰＵ１１は、タイマ１４をリセットし（ステップＳ２１）、トラッキング制御及び補正をオフする（ステップＳ２２）。ＣＰＵ１１は、フォーカス制御をオンし（ステップＳ２３）、再生層Ｌ０にフォーカスを合わせる（ステップＳ２４）。ＣＰＵ１１は、光ピックアップ２を無記録領域Ｌ０ｂに移動させる（ステップＳ２５）。ＣＰＵ１１は、記憶部５に信号強度が記憶されているか否かを判定する（ステップＳ２６）。
【００４３】
ＣＰＵ１１は、信号強度が記憶されていないと判定した場合（ステップＳ２６でＮＯ）、フォーカス誤差信号の信号強度を記憶する（ステップＳ２７）。ＣＰＵ１１は、信号強度が記憶されていると判定した場合（ステップＳ２６でＹＥＳ）、フォーカス誤差信号の信号強度を書き換える（ステップＳ３２）。ＣＰＵ１１は、トラッキング制御をオンし（ステップＳ２８）、タイマ１４に計時を開始させる（ステップＳ２９）。ＣＰＵ１１は、タイマ信号を検出したか否かを判定する（ステップＳ３０）。ＣＰＵ１１は、タイマ信号を検出したと判定した場合（ステップＳ３０でＹＥＳ）、タイマ１４をリセットするステップＳ２１に処理を戻す。
【００４４】
ＣＰＵ１１は、タイマ信号を検出していないと判定した場合（ステップＳ３０でＮＯ）、光ディスク１が排出されたか否かを判定する（ステップＳ３１）。ＣＰＵ１１は、光ディスクが排出されていないと判定した場合（ステップＳ３１でＮＯ）、タイマ信号を検出したか否かを判定するステップＳ３０に処理を戻す。ＣＰＵ１１は、光ディスクが排出されたと判定した場合（ステップＳ３１でＹＥＳ）、信号強度更新処理を終了する。
【００４５】
図８は、実施の形態２に係る再生層のデータ読出処理の手順を示すフローチャートである。光ディスク装置のＣＰＵ１１は、補正をオンし（ステップＳ４１）、再生層Ｌ０にフォーカスを合わせる（ステップＳ４２）。ＣＰＵ１１は、光ピックアップ２を記録領域Ｌ０ａに移動させ（ステップＳ４３）、データを読み出す（ステップＳ４４）。ＣＰＵ１１は、補正をオフし（ステップＳ４５）、再生層のデータ読出処理を終了する。
【００４６】
本実施の形態２は以上の如き構成としてあり、その他の構成及び作用は実施の形態１と同様であるので対応する部分には同一の符号を付してその詳細な説明を省略する。
【００４７】
実施の形態３
図９は、実施の形態３に係る光ディスク装置の内部構成を示すブロック図である。本実施の形態３は、実施の形態１がＲＯＭに記憶してあるコンピュータプログラムを読み出して実行されるのに対し、書き換え可能なＥＥＰＲＯＭ（ Electrically Erasable Programmable Read-Only Memory ）に記録してあるコンピュータプログラムを読み出して実行するようにしてある。光ディスク装置は、ＣＰＵ１１にバス１１ａを介して接続されたフラッシュメモリ等からなるＥＥＰＲＯＭ１５及び記録媒体読込部１６を備える。光ディスク装置は、記録媒体読込部１６に挿入された記録媒体１６０からコンピュータプログラム１６１を読み込んでＥＥＰＲＯＭ１５に記憶するようにしてある。
【００４８】
ＣＰＵ１１は、ＥＥＰＲＯＭ１５から読み出された本発明のコンピュータプログラム１６１に従って、本発明の光ディスク装置に必要な処理を実行する構成となっている。コンピュータプログラム１６１は、ＣＰＵ１１に光ビームを無記録領域Ｌ０ｂに集光させて得たフォーカス誤差信号の信号強度に基づいてフォーカス誤差信号を補正させ（補正ステップ）、フォーカス誤差信号が補正された場合、再生層Ｌ０に記録してあるデータの読出しを許諾する（許諾ステップ）。
【００４９】
本発明に係るコンピュータプログラム１６１は、ＣＤ（ Compact Disk ）−ＲＯＭ又はＤＶＤ（ Digital Versatile Disk ）−ＲＯＭ等の記憶媒体１６０だけでなく、メモリカード等の外部メモリに記憶させておくこともできる。この場合、ＣＰＵ１１に接続される図示しない外部メモリからコンピュータプログラム１６１を読み出してＥＥＰＲＯＭ１５に記憶させる。さらにＣＰＵ１１に接続された図示しない外部のサーバーコンピュータとの間で通信を確立し、係るコンピュータプログラムをＥＥＰＲＯＭ１５へダウンロードしても良い。
【００５０】
本実施の形態３は以上の如き構成としてあり、その他の構成及び作用は実施の形態１及び実施の形態２と同様であるので対応する部分には同一の符号を付してその詳細な説明を省略する。
【図面の簡単な説明】
【００５１】
【図１】実施の形態１に係る光ディスクの例を示す模式的平面図及び模式的断面図である。
【図２】実施の形態１に係る光ディスク装置の内部構成を示すブロック図である。
【図３】実施の形態１に係る不要光に起因する信号を検出する方法を説明するための説明図である。
【図４】実施の形態１に係る再生層のデータ読出処理の手順を示すフローチャートである。
【図５】実施の形態１に係る光ディスクの他の例を示す模式的平面図及び模式的断面図である。
【図６】実施の形態２に係る光ディスク装置の内部構成を示すブロック図である。
【図７】実施の形態２に係る信号強度更新処理の手順を示すフローチャートである。
【図８】実施の形態２に係る再生層のデータ読出処理の手順を示すフローチャートである。
【図９】実施の形態３に係る光ディスク装置の内部構成を示すブロック図である。
【図１０】従来技術である光ディスクの構造例を示す模式的拡大断面図である。
【図１１】従来技術である光ディスクに光ビームを集光した場合、フォーカス誤差信号に混入する不要光に起因する信号を説明するための説明図である。
【符号の説明】
【００５２】
１  光ディスク
２  光ピックアップ
３  平均化回路
４  信号強度取得回路
５  記憶部
６  補正回路
７  フォーカス制御回路
８  移動回路
９  駆動部
１０  トラッキング制御回路
１１  ＣＰＵ
１１ａ  バス
１２  ＲＯＭ
１３  ＲＡＭ
１４  タイマ
１５  ＥＥＰＲＯＭ
１６  記録媒体読込部
２１  対物レンズ
２２  フォーカス誤差信号生成回路
２３  トラッキング誤差信号生成回路
１６０  記録媒体
１６１  コンピュータプログラム
Ｌ０  再生層
Ｌ１  第１記録層
Ｌ２  第２記録層
Ｌ０ａ  記録領域
Ｌ０ｂ  無記録領域
Ｒ１，Ｒ４  内径
Ｒ２，Ｒ３  外径
【図１】
2010055661.tif 000003
【図２】
2010055661.tif 000004
【図３】
2010055661.tif 000005
【図４】
2010055661.tif 000006
【図５】
2010055661.tif 000007
【図６】
2010055661.tif 000008
【図７】
2010055661.tif 000009
【図８】
2010055661.tif 000010
【図９】
2010055661.tif 000011
【図１０】
2010055661.tif 000012
【図１１】
2010055661.tif 000013